(57)【要約】【課題】上下に直線移動し、単一方向の回転を生成することによって脱水するモップを提供する。【解決手段】モップは、内筒体１０、外筒体２０、係合ユニット、駆動ユニット、制御ユニット、盤体６０および締付構造７０を備える。外筒体２０は、底端部が内筒体１０の上端に嵌合され、かつ相対的な直線伸縮移動を行なうことが可能である。係合ユニットは、内筒体１０の頂端の開口部内に装着される。駆動ユニットは、細長い状を呈し、外筒体２０とともに同調昇降できるように外筒体２０内に装着される。制御ユニットは、係合ユニット内に装着され、駆動ユニットを受けるのに用いられる。盤体６０は、内筒体１０の底部に装着され、毛糸を有する。締付構造７０は、外筒体２０に装着され、かつ内筒体１０と外筒体２０とを固定するかあるいは相対的な伸縮が可能な状態に維持することが可能である。【選択図】  図１
0003156219.tif 000002
【実用新案登録請求の範囲】
【請求項１】
上下に直線移動し、単一方向の回転を生成することによって脱水するモップであって、
内筒体と、
底端部が内筒体の上端に嵌合され、かつ相対的な直線伸縮移動を行なうことが可能である外筒体と、
内筒体の頂端の開口部内に装着される係合ユニットと、
細長い状を呈し、外筒体とともに同調昇降できるように外筒体内に装着される駆動ユニットと、
係合ユニット内に装着され、駆動ユニットを受けるのに用いられ、かつ駆動ユニットの駆動によって回転する際、係合ユニットを単一方向に回転させることしかできない制御ユニットと、
内筒体の底部に装着され、毛糸を有する盤体と、
外筒体に装着され、かつ内筒体と外筒体とを固定するか、あるいは相対的な伸縮が可能な状態に維持することが可能である締付構造と、
を備え、
外筒体が上下に移動する際、駆動ユニットは直線運動によって制御ユニットを回転させ、かつ係合ユニットを単一方向に回転させることによって内筒体および盤体を同じ方向に位置させ、かつ慣性力を介して回転を持続させて遠心力を生成することによって毛糸に付着した水を放射することを特徴とするモップ
【請求項２】
駆動ユニットは、らせん状の棒体またはらせん状の片体から構成され、駆動ユニットを受けるのに用いる制御ユニットは、らせん状に対応するスリーブの構造を有するため、駆動ユニットは外筒体の上下の直線移動によって制御ユニットを回転させることが可能であることを特徴とする請求項１に記載のモップ。
【請求項３】
係合ユニットは、内筒体の頂端に装着され、環状体およびキャップによって固定され、かつ内側底端部に上向きの爪部を有し、制御ユニットは底端部に上向きの爪部に対応かつ接触する下向きの爪部を有し、かつ制御ユニットは回転の際に係合ユニットを単一方向に回転させることしかできないことを特徴とする請求項１に記載のモップ。
【請求項４】
係合ユニットは、上端の外側に突出縁部を有し、内側に陥没溝を有し、キャップは環状のリブを有し、リブによって係合ユニットの陥没溝に嵌合・固定されることを特徴とする請求項３に記載のモップ。
【請求項５】
締付構造は、束縛用スリーブおよび旋転筒を有し、束縛用スリーブは外筒体の底縁部に固定され、下段部にスリットを有し、外周に傾斜溝を有し、旋転筒は束縛用スリーブの外周に被さり、かつ束縛用スリーブの傾斜溝に向かい合う内側面に傾斜溝を昇降できる突起部を有するため、旋転筒によって束縛用スリーブの締付または弛緩を行い、束縛用スリーブのスリットの作用によって内筒体と外筒体とを固定して床拭きの便をはかるか、あるいは内筒体を回転状態に維持し、毛糸の脱水を行なうことが可能であることを特徴とする請求項１に記載のモップ。
【請求項６】
束縛用スリーブは、上端内側に間隔を置いて配列された複数のフックを有し、外筒体はフックに対応する孔部を有し、フックは外筒体の孔部を貫通し、かつ外筒体が一定の高度まで上昇し、内筒体に装着されるキャップがフックに引っ掛かれば固定が完成することを特徴とする請求項５に記載のモップ。
【請求項７】
盤体は、脱水桶中の自由回転状態を呈するバスケット内に置かれる、盤体は内筒体の駆動によって回転する際、バスケットを同調回転させ、盤体上の毛糸に遠心脱水を行うことが可能であり、脱水桶は毛糸から放射された水を受けることが可能であることを特徴とする請求項１に記載のモップ。
【考案の詳細な説明】
【技術分野】
【０００１】
本考案は、モップに関し、特に上下に直線移動し、単一方向の回転を生成することによって脱水するモップに関する。詳しく言えば人に優しい操作方式によってモップの脱水をより簡単かつ安全に行うことを可能にするモップに関するものである。
【背景技術】
【０００２】
一般のモップを使用した後、新しい水を吸収して床の掃除を続けるには、モップに付着した汚水をしっかり絞らなければならないため、床を拭くのは非常に大変なことである。それに対し、モップ用脱水装置が業者に開発された。そのうちの台湾特許第３４７１４６号は、ペダルで歯車を駆動し、バスケットに急速な回転を生成することによってバスケット内のモップの水分を放射し、十分に取り去ることを掲示した。
【先行技術文献】
【特許文献】
【０００３】
【特許文献１】台湾特許３４７１４６号明細書
【考案の概要】
【考案が解決しようとする課題】
【０００４】
該当装置は、従来どおり手でモップの水分を絞るという面倒な作業を改善することが可能であるが、使用の際、片方の足でペダルを踏み、別の片方の足でバランスを取るため、操作が比較的面倒なだけでなく、体勢を崩して転んでしまうという事態が起こりやすい。それに対し、本考案者はモップの脱水作業をより容易かつ安全に行うために長い年月の実務経験を持って開発および実験を重ねた結果、本考案を完成させた。
【０００５】
本考案の主な目的は、上下に直線移動し、単一方向の回転を生成することによって脱水するモップを提供することである。使用の際、手でモップのハンドルを持って上下に移動させれば底部の盤体を回転させ、モップに付着する水分を放射し、十分に取り去ることが可能であるため、人に優しく利便性を有する。
本考案のもう一つの目的は、上下に直線移動し、単一方向の回転を生成することによって脱水するモップを提供することである。使用の際、足で踏む必要なく手のみで操作すれば十分であるため、安全性を有する。
本考案のもう一つの目的は、上下に直線移動し、単一方向の回転を生成することによって脱水するモップを提供することである。バスケットを回転させる際、脱水桶内の回転機構にたよる必要がないため、コストを削減し、機構を単純化することが可能なだけでなく、故障率を減少させ、使用寿命を延長することが可能である。
【課題を解決するための手段】
【０００６】
上述の目的を達成するために、本考案による上下に直線移動し、単一方向の回転を生成することによって脱水するモップは、内筒体、外筒体、係合ユニット、駆動ユニット、制御ユニット、盤体および締付構造を備える。
外筒体は、底端部が内筒体の上端に嵌合され、かつ相対的な直線伸縮移動を行なうことが可能である。
係合ユニットは、内筒体の頂端の開口部内に装着される。
駆動ユニットは、細長い状を呈し、外筒体とともに同調昇降できるように外筒体内に装着される。
制御ユニットは、係合ユニット内に装着され、駆動ユニットを受けるのに用いられ、かつ駆動ユニットの駆動によって回転する際、係合ユニットを単一方向に回転させることしかできない。
盤体は、内筒体の底部に装着され、毛糸を有する。
締付構造は、外筒体に装着され、かつ内筒体と外筒体とを固定するかあるいは相対的な伸縮が可能な状態に維持することが可能である。
外筒体が上下に移動する際、駆動ユニットは直線運動によって制御ユニットを回転させ、かつ係合ユニットを単一方向に回転させることによって内筒体および盤体を同じ方向に位置させ、かつ慣性力を介して回転を持続させて遠心力を生成することによって毛糸に付着した水を放射する。
【０００７】
上述した特徴により、本考案において、駆動ユニットは、らせん状の棒体またはらせん状の片体から構成される。駆動ユニットを受けるのに用いる制御ユニットは、らせん状に対応するスリーブの構造に形成されるため、駆動ユニットは外筒体の上下の直線移動によって制御ユニットを回転させることが可能である。
【０００８】
上述した特徴により、本考案において、係合ユニットは、内筒体の頂端に装着され、環状体およびキャップによって固定され、かつ内側底端部に上向きの爪部を有する。制御ユニットは底端部に上向きの爪部に対応・接触する下向きの爪部を有する。かつ制御ユニットは回転の際に係合ユニットを単一方向に回転させることしかできない。
係合ユニットは上端の外側に突出縁部を有し、内側に陥没溝を有する。キャップは環状のリブを有し、リブによって係合ユニットの陥没溝に嵌合・固定される。
【０００９】
上述した特徴により、本考案において、締付構造は束縛用スリーブおよび旋転筒を有する。束縛用スリーブは外筒体の底縁部に固定され、下段部にスリットを有し、外周に傾斜溝を有する。旋転筒は束縛用スリーブの外周に被さり、かつ束縛用スリーブの傾斜溝に向かい合う内側面に傾斜溝を昇降できる突起部を有する。従って、本考案は旋転筒によって束縛用スリーブの締付または弛緩を行い、束縛用スリーブのスリットの作用によって内筒体と外筒体とを固定して床拭きの便をはかるか、あるいは内筒体を回転状態に維持し、毛糸の脱水を行なうことが可能である。
束縛用スリーブは上端内側に間隔を置いて配列された複数のフックを有するのに対し、外筒体は孔部を有する。フックは外筒体の孔部を貫通する。外筒体が一定の高度まで上昇し、内筒体に装着されるキャップがフックに引っ掛かれば固定が完成する。
【００１０】
上述した特徴により、本考案における盤体は、脱水桶中の自由回転状態を呈するバスケット内に置くことが可能である。盤体は内筒体の駆動によって回転する際、バスケットを同調回転させ、盤体上の毛糸に遠心脱水を行うことが可能である。脱水桶は毛糸から放射された水を受けることが可能である。
【図面の簡単な説明】
【００１１】
【図１】本考案の一実施形態による上下に直線移動し、単一方向の回転を生成することによって脱水するモップを示す立体外観図である。
【図２】本考案の一実施形態による上下に直線移動し、単一方向の回転を生成することによって脱水するモップを示す立体分解図である。
【図３】本考案の一実施形態による上下に直線移動し、単一方向の回転を生成することによって脱水するモップにおいて締付構造がロックされた状態を呈する示す模式図である。
【図４】本考案の一実施形態による上下に直線移動し、単一方向の回転を生成することによって脱水するモップにおいて締付構造が解除された状態を呈する示す模式図である
【図５】本考案の一実施形態による上下に直線移動し、単一方向の回転を生成することによって脱水するモップにおいて、内筒体と外筒体とを相対的に運動させる状態を呈する示す模式図である。
【図６】本考案の一実施形態による上下に直線移動し、単一方向の回転を生成することによって脱水するモップにおける係合ユニットと制御ユニットを呈する示す立体分解図である
【図７】本考案の一実施形態による上下に直線移動し、単一方向の回転を生成することによって脱水するモップにおいて、制御ユニットが係合ユニットを回転させる状態を示す模式図である。
【図８】本考案の一実施形態による上下に直線移動し、単一方向の回転を生成することによって脱水するモップにおいて、制御ユニットが係合ユニットに対し空回転する状態を示す模式図である。
【図９】本考案の一実施形態による上下に直線移動し、単一方向の回転を生成することによって脱水するモップの使用状態を示す模式図（一）である。
【図１０】本考案の一実施形態による上下に直線移動し、単一方向の回転を生成することによって脱水するモップの使用状態を示す模式図（二）である。
【考案を実施するための形態】
【００１２】
以下、本考案による上下に直線移動し、単一方向の回転を生成することによって脱水するモップを図面に基づいて説明する。
（一実施形態）
図１から図３に示すように、本考案の一実施形態による上下に直線移動し、単一方向の回転を生成することによって脱水するモップは、内筒体１０、外筒体２０、係合ユニット３０、駆動ユニット５０、制御ユニット４０、盤体６０および締付構造７０を備える。
【００１３】
内筒体１０は、中空の円棒から構成される。中空の円棒は金属または非金属、例えばアルミニウムまたはプラスチックの管体にすることが可能である。
【００１４】
外筒体２０は、底端部が内筒体１０の上端に嵌合され、かつ相対的な直線伸縮移動を行なうことが可能である。本実施形態は、手で外筒体２０を握って内筒体１０の外周を上下に移動させることによって伸縮を行うことが可能である。
【００１５】
係合ユニット３０は、内筒体１０の頂端の開口部内に装着される。本実施形態において、係合ユニット３０は、内筒体１０の頂端に装着され、環状体３３およびキャップ３４によって固定される。係合ユニット３０は上端の外側に突出縁部３１を有し、内側に陥没溝３２を有する。キャップ３４は上端面部に貫通孔３４１を有し、外周に環状のリブ３４２を有し、リブ３４２によって係合ユニット３０の陥没溝３２に嵌合・固定される。図６に示すように、係合ユニット３０は内側底端部に上向きの爪部３５を有する。
【００１６】
駆動ユニット５０は、細長い状を呈し、外筒体２０とともに同調昇降できるように外筒体２０内に装着される。本実施形態において、駆動ユニット５０は頂端の固定部５１が外筒体２０の上端の内部に係止され、かつ固定ユニット（図中未表示）またはリベットによって固定される。かつ図１に示すように、外筒体２０は頂端にスリーブ２２を有する。
【００１７】
制御ユニット４０は、係合ユニット３０内に装着され、駆動ユニット５０を受けるのに用いられる。駆動ユニット５０はらせん状の棒体またはらせん状の片体から構成されるため、制御ユニット４０の内側はらせん状に対応するスリーブ４１の構造に形成される。つまり制御ユニット４０は上端面にらせん状の棒またはらせん状の片体に対応するらせん模様または細長いスロットを有する。駆動ユニット５０は外筒体２０の上下の直線移動によって制御ユニット４０を回転させることが可能である。
【００１８】
本実施形態において、駆動ユニット５０はらせん状の片体を呈するため、制御ユニット４０の内側のスリーブ４１は細長いスロットを呈する。駆動ユニット５０を差し込んで昇降させる際、制御ユニット４０は係合ユニット３０内を回転することが可能である。図６に示すように、制御ユニット４０は底端部に係合ユニット３０の上向きの爪部３５に対応・接触する下向きの爪部４２を有する。爪部は傾斜状を呈するため、作動の際に方向性がある。
【００１９】
制動ユニット４０が駆動ユニット５０によって駆動される際、図７に示すように、爪部による方向設定により制御ユニット４０が係合ユニット３０を時計回りに回転させることしかできないため、駆動ユニット５０は下へ押され、制御ユニット４０は駆動され、かつ係合ユニット３０を時計回りに同調回転させる。
【００２０】
図８に示すように、駆動ユニット５０が上に引っ張られる際、駆動ユニット４０は反時計回りに回転する。このとき制御ユニット４０の下向きの爪部４２と係合ユニット３０の上向きの爪部３５とが噛み合わず、空回転を呈する。つまり係合ユニット３０は作動せず、駆動ユニット５０を本来の位置に復元させるため、再び駆動ユニット５０を下に押し、係合ユニット３０を回転させることが可能である。
従って、本考案における係合ユニット３０および制御ユニット４０は単一方向伝動構造となり、その機能は単一方向の軸受けに類似している。かつ本考案の単一方向駆動方式は爪部に限らず、効果が同等な方式を使用することが可能である。
【００２１】
盤体６０は、内筒体１０の底部に装着され、毛糸６１を有する。
締付構造７０は、外筒体２０に装着され、かつ内筒体１０と外筒体２０とを固定するかあるいは相対的な伸縮が可能な状態に維持することが可能である。図２から図４に示すように、本実施形態において、締付構造７０は束縛用スリーブ７０ａおよび旋転筒７０ｂを有することが可能である。束縛用スリーブ７０ａは外筒体２０の底縁部に固定され、下段部にスリット７１を有し、外周に傾斜溝７２を有する。旋転筒７０ｂは束縛用スリーブ７０ａの外周に被さり、かつ束縛用スリーブ７０ａの傾斜溝７２に向かい合う内側面に傾斜溝７２を昇降できる突起部７３を有する。
【００２２】
従って、本考案は旋転筒７０ｂによって束縛用スリーブ７０ａの締付または弛緩を行い、束縛用スリーブ７０ａのスリット７１の作用によって内筒体１０と外筒体２０とを固定して床拭きの便をはかるか、あるいは内筒体１０を回転状態に維持し、毛糸６１の脱水を行なうことが可能である。かつ束縛用スリーブ７０ａは上端内側に間隔を置いて配列された複数のフック７４を有するのに対し、外筒体２０は孔部２１を有する。フック７４は外筒体２０の孔部２１を貫通する。外筒体２０が一定の高度まで引っ張られ、内筒体１０に装着されるキャップ３４がフック７４に引っ掛かれば固定が完成する。
【００２３】
上述した締付構造７０が図３に示す状態を呈する際、旋転筒７０ｂは上方に位置付けられ、かつ下方の錐面７５によって束縛用スリーブ７０ａの錐面７６を締め付け、外筒体２０を下に作動させないため、締付構造７０はロック状態に維持される。
【００２４】
図４に示すように、締付構造７０を解除する場合、旋転筒７０ｂを一定の角度で回転させ、突起部７３を傾斜溝７２に沿って降下させ、旋転７０ｂの錐面７５と束縛用スリーブ７０ａの錐面７６とを分離させれば、束縛用スリーブ７０ａは内筒体１０を解放することが可能であり、外筒体２０は内筒体１０に対して直線に移動することが可能である。
【００２５】
図５に示すように、外筒体２０が下に押され、かつ駆動ユニット５０を同調降下させて制御ユニット４０のスリーブ４１に入り込ませる場合、制御ユニット４０は時計回りに回転し、かつ係合ユニット３０を同調回転させる。このとき係合ユニット３０は内筒体１０に緊密に嵌るため、内筒体１０は単一方向にしか回転できない。外筒体２０が上に引っ張られ、制御ユニット４０が上述したとおり反時計回りに回転する場合、係合ユニット３０は空回転を呈するため、内筒体１０は依然として慣性力によって時計回りに持続的に回転し、上に引っ張られた外筒体２０の影響を受けないことが可能である。
【００２６】
図９に示すように、外筒体２０を下へ押し、内筒体１０および盤体６０を単一方向に回転させ、遠心力を生成することによって盤体６０の毛糸６１（図１に示す）の水分を放射することが可能である。
【００２７】
図１０に示すように、外筒体２０が上に引っ張られる場合、上述したとおり、内筒体１０は影響を受けず、依然として慣性力によって同一方向に持続的に回転する。このとき手で外筒体２０を下に押したり、上に引っ張ったりして二、三回繰り返せば、脱水桶８０のバスケット８１上に内筒体１０および盤体６０を十回以上回転させることが可能である。
【００２８】
従来の脱水桶は内部の駆動機構を踏むことによってバスケット８１を回転させる方法を採用することに対し、本実施形態におけるバスケット８１は自由回転が可能なように脱水桶８０内に装着されるため、本考案は従来の操作方式とは異なり、内筒体１０によって盤体６０を回転させ、かつバスケット８１を同調回転させれば盤体６０の毛糸６１に遠心脱水を行い、遠心脱水の際に放射された水を脱水桶８０によって受けることが可能である。
【００２９】
本考案は、上述した技術特徴によって使用上の便および人に優しいことの実現をはかり、かつ足で踏むことを排除することが可能であるため、体勢を崩して転んでしまう恐れがない。かつペダルなどの駆動機構を使用する必要がないため、コストを削減することが可能である。従って本考案は利便性および安全性などの実質効果を増進することが可能となる。
【符号の説明】
【００３０】
１０：内筒体、  ２０：外筒体、  ２１：孔部、  ２２：スリーブ、  ３０：係合ユニット、  ３１：突出縁部、  ３２：陥没溝、  ３３：環状体、  ３４：キャップ、  ３４１：貫通孔、  ３４２：リブ部、  ３５：上向きの爪部、  ４０：制御ユニット、  ４１：スリーブ、  ４２：下向きの爪部、  ５０：駆動ユニット、  ５１：固定部、  ６０：盤体、  ６１：毛糸、  ７０：締付構造、  ７０ａ：スリーブ、  ７０ｂ：旋転筒、  ７１：スリット、  ７２：傾斜溝、  ７３：突起部、  ７４：フック、  ７５：錐面、  ７６：錐面、  ８０：脱水桶、  ８１：バスケット。
【図１】
0003156219.tif 000003
【図２】
0003156219.tif 000004
【図３】
0003156219.tif 000005
【図４】
0003156219.tif 000006
【図５】
0003156219.tif 000007
【図６】
0003156219.tif 000008
【図７】
0003156219.tif 000009
【図８】
0003156219.tif 000010
【図９】
0003156219.tif 000011
【図１０】
0003156219.tif 000012